(57)【特許請求の範囲】
【請求項１】
左前身頃、右前身頃、および後身頃を含む上衣本体と、
前記上衣本体の裏側に設けられ、前記上衣本体を対象物に引掛ける引掛部材とを備え、
前記引掛部材は、
前記上衣本体に架け渡された紐状または帯状の紐帯部と、
前記紐帯部に設けられた留具とを含み、
前記引掛部材は、前記留具において開放可能になっており、
前記引掛部材は前記上衣本体の身幅方向に設けられ、かつ、前記引掛部材の一端が前記後身頃と当該後身頃に対して前記身幅方向に縫着される生地との接合部に接続されていることを特徴とする上衣。
【請求項２】
前記留具は、前記紐帯部の一端に設けられた第１留具、および前記紐帯部の他端に設けられた第２留具を含み、
前記第１留具および前記第２留具のそれぞれが、前記上衣本体に固定されていることを特徴とする請求項１に記載の上衣。
【請求項３】
前記上衣本体は、前記左前身頃と前記後身頃とを繋ぐ左細腹、および前記右前身頃と前記後身頃とを繋ぐ右細腹をさらに含み、
前記引掛部材は、前記左前身頃および前記左細腹、または、前記右前身頃および前記右細腹にわたって設けられていることを特徴とする請求項１または２に記載の上衣。
【請求項４】
前記引掛部材は、前記後身頃を横断するように、前記上衣本体に設けられていることを特徴とする請求項１または２に記載の上衣。
【請求項５】
前記上衣本体は、重衣料であることを特徴とする請求項１から４までのいずれか一項に記載の上衣。
【請求項６】
左前身頃、右前身頃、および後身頃を含む上衣本体と、
前記上衣本体の裏側に設けられ、前記上衣本体を対象物に引掛ける引掛部材とを備え、
前記引掛部材は、
前記上衣本体に架け渡された紐状または帯状の紐帯部と、
前記紐帯部に設けられた留具とを含み、
前記引掛部材は、前記留具において開放可能になっており、
前記引掛部材は、前記後身頃を横断するように、前記上衣本体に設けられ、
前記上衣本体は、前記左前身頃と前記後身頃とを繋ぐ左細腹、および前記右前身頃と前記後身頃とを繋ぐ右細腹をさらに含み、
前記引掛部材は、前記後身頃と前記左細腹との接合部である第１接合部と、前記後身頃と前記右細腹との接合部である第２接合部とに接続されていることを特徴とする上衣。
【発明の詳細な説明】
【技術分野】
【０００１】
本発明は上衣に関し、より詳細には、非着用時に鞄などに引掛けて持ち運ぶことが可能な上衣に関する。
【背景技術】
【０００２】
夏場などでは、外出中にスーツの上衣（上着）を脱いで移動することがある。上衣を脱いで移動する場合、脱いだ上衣を腕に掛けて持ち運ぶか、または脱いだ上衣を鞄に入れて持ち運ぶことが多い。
【０００３】
ところが、脱いだ上衣を腕に掛けて持ち運ぶ場合、上衣を掛けた腕が汗で蒸れるため、腕がかぶれるなどの問題がある。また、脱いだ上衣を鞄に入れて持ち運ぶ場合、上衣にシワがつきやすくなるなどの問題がある。
【０００４】
このような問題に関連して、特許文献１には、脱いだ上衣を鞄と一緒に持ち運ぶための携帯ハンガーが提案されている。
【先行技術文献】
【特許文献】
【０００５】
【特許文献１】実用新案登録第３１５４０１７号公報（２００９年１０月８日発行）
【発明の概要】
【発明が解決しようとする課題】
【０００６】
しかしながら、上述のような従来技術は、携帯ハンガーを使用しない場合であっても、携帯ハンガーを鞄などに入れて、上衣とは別に常時携行しなければならないという課題がある。
【０００７】
本発明は、上記従来の課題に鑑みてなされたものであって、その目的は、非着用時の持ち運び性に優れた上衣を提供することにある。
【課題を解決するための手段】
【０００８】
上記の課題を解決するために、本発明に係る上衣は、左前身頃、右前身頃、および後身頃を含む上衣本体と、前記上衣本体の裏側に設けられ、前記上衣本体を対象物に引掛ける引掛部材とを備え、前記引掛部材は、前記上衣本体に架け渡された紐状または帯状の紐帯部と、前記紐帯部に設けられた留具とを含み、前記引掛部材は、前記留具において開放可能になっていることを特徴としている。
【０００９】
上記の構成では、引掛部材は、留具において開放可能になっている。すなわち、引掛部材は、上衣本体の裏側に架け渡された紐状または帯状の紐帯部が、留具において開放可能な構成である。このため、留具を外して開放した紐帯部を、鞄（対象物）の肩紐などに通した後、留具を留めることにより、引掛部材を鞄に簡単に取り付けることができる。
【００１０】
これにより、引掛部材によって、上衣本体が対象物からズレ落ちることを防止しつつ、非着用時の上衣本体を対象物に引掛けることが可能となる。
【００１１】
よって、上記の構成によれば、従来のように携帯ハンガーを別途携行することなく、非着用時の衣本体を対象物に引掛けた状態で持ち運ぶことが可能となるため、非着用時の持ち運び性に優れた上衣を実現することができる。
【００１２】
また、本発明に係る上衣では、前記留具は、前記紐帯部の一端に設けられた第１留具、および前記紐帯部の他端に設けられた第２留具を含み、前記第１留具および前記第２留具のそれぞれが、前記上衣本体に固定されていることが好ましい。
【００１３】
上記の構成では、第１留具および第２留具を介して、紐帯部が上衣本体に取り付けられているため、第１留具および第２留具の両方を外すことにより、上衣本体から紐帯部を取り外すことができる。これにより、上衣本体に対する紐帯部の着脱が可能となり、上衣本体に紐帯部を取り付けたり、または、上衣本体から紐帯部を取り外したりすることができる。
【００１４】
したがって、上記の構成によれば、上衣の使用態様などに応じて、上衣本体への紐帯部の着脱を自由に選択することができる。
【００１５】
また、本発明に係る上衣では、前記上衣本体は、前記左前身頃と前記後身頃とを繋ぐ左細腹、および前記右前身頃と前記後身頃とを繋ぐ右細腹をさらに含み、前記引掛部材は、前記左前身頃および前記左細腹、または、前記右前身頃および前記右細腹にわたって設けられていることが好ましい。
【００１６】
上衣を着用した際、上衣本体の左前身頃および左細腹の裏側、または、上衣本体の右前身頃および右細腹の裏側は、引掛部材を上衣に設けた場合であっても着用者の動作の妨げになりにくい部分である。
【００１７】
したがって、上記の構成によれば、上衣の着心地を損なうことなく、引掛部材を上衣本体に好適に設けることができる。
【００１８】
また、本発明に係る上衣では、前記引掛部材は、前記後身頃を横断するように、前記上衣本体に設けられていることが好ましい。
【００１９】
上衣を着用した際、上衣本体の後身頃の裏側は、外部から視認される可能性が低い部分であり、また、引掛部材を上衣に設けた場合であっても着用者の動作の妨げになりにくい部分でもある。
【００２０】
したがって、上記の構成によれば、上衣の外観および着心地を損なうことなく、引掛部材を上衣本体に好適に設けることができる。また、引掛部材の長さを十分に確保することが可能となるため、引掛部材を対象物に取り付けやすくすることができる。
【００２１】
また、本発明に係る上衣では、前記上衣本体は、前記左前身頃と前記後身頃とを繋ぐ左細腹、および前記右前身頃と前記後身頃とを繋ぐ右細腹をさらに含み、前記引掛部材は、前記後身頃と前記左細腹との接合部である第１接合部と、前記後身頃と前記右細腹との接合部である第２接合部とに接続されていることを特徴としている。
【００２２】
上記の構成によれば、第１接合部と第２接合部とに引掛部材を接続することにより、上衣本体に対する引掛部材の取付強度（縫着強度）を高めることができる。
【００２３】
また、本発明に係る上衣では、前記上衣本体は、重衣料であることが好ましい。
【００２４】
一般的に、スーツの上衣、ジャケット、コートなどの重衣料は、厚手で重量が重いものが多い。本発明は、このような重衣料に対して特に好適に適用することができる。
【００２５】
したがって、上記の構成によれば、非着用時の重衣料の持ち運び性を向上させることができる。
【発明の効果】
【００２６】
以上のように、本発明に係る上衣は、左前身頃、右前身頃、および後身頃を含む上衣本体と、前記上衣本体の裏側に設けられ、前記上衣本体を対象物に引掛ける引掛部材とを備え、前記引掛部材は、前記上衣本体に架け渡された紐状または帯状の紐帯部と、前記紐帯部に設けられた留具とを含み、前記引掛部材は、前記留具において開放可能になっている。
【００２７】
したがって、本発明によれば、非着用時の持ち運び性に優れた上衣を提供することができるという効果を奏する。
【図面の簡単な説明】
【００２８】
【図１】本発明の実施形態１に係るジャケットを示す正面図である。
【図２】図１に示されるジャケットの裏側を示す要部展開図である。
【図３】図２に示される引掛ベルトを示す模式図である。
【図４】実施形態１に係るジャケットを対象物に引掛ける際の形態を示す斜視図である。
【図５】図４に示されるジャケットを鞄に引掛けた状態の一例を示す斜視図である。
【図６】本発明の実施形態２に係るジャケットの裏側を示す要部展開図である。
【図７】本発明の実施形態３に係るジャケットの裏側を示す要部展開図である。
【発明を実施するための形態】
【００２９】
〔実施形態１〕
本発明の実施の一形態について、図１〜５に基づいて説明すれば、以下のとおりである。本実施形態では、本発明をジャケットに適用した場合の一例について説明する。
【００３０】
ただし、本発明は、ジャケットに限定されず、前開きの各種上衣に適用することができ、特に、スーツの上衣（上着）、コートなどの重衣料に好適に適用することができる。
【００３１】
〔ジャケット１の構成〕
図１は、本実施形態に係るジャケット１を示す正面図であり、図２は、図１に示されるジャケット１の裏側を示す要部展開図である。なお、図２では、ジャケット本体２のうち、左前身頃２１、右前身頃２２、後身頃２３、左細腹２４、および右細腹２５のみを図示している。
【００３２】
本実施形態に係るジャケット１は、外出中にジャケット１を脱いで移動する場合において、非着用時のジャケット１を鞄や手荷物などに引掛けた状態で持ち運びできるように設計されたものである。
【００３３】
図１および２に示すように、ジャケット（上衣）１は、ジャケット本体（上衣本体）２、および引掛ベルト（引掛部材）３を含んでいる。
【００３４】
（ジャケット本体２）
ジャケット本体２は、上半身に着用される前開きの上衣である。ジャケット本体２としては、公知のジャケットを用いることができる。
【００３５】
本実施形態では、ジャケット本体２は、左前身頃２１、右前身頃２２、後身頃２３、左細腹２４、右細腹２５、上襟２６、左袖２７、および右袖２８を含んでいる。
【００３６】
左前身頃２１および右前身頃２２は、ジャケット本体２の前身頃を構成している。左前身頃２１は、ジャケット本体２の前面左側に設けられる生地である。また、右前身頃２２は、ジャケット本体２の前面右側に設けられた生地である。左前身頃２１および右前身頃２２は、ジャケット１の着用時に胴体の前側を覆う。
【００３７】
後身頃２３は、ジャケット本体２の後側に設けられる生地である。後身頃２３は、ジャケット１の着用時に胴体の背中側を覆う。後身頃２３は、背筋に沿って伸びる背縫い２３１において２つの生地が縫い合わされて構成されている。この後身頃２３の裏側上部には、肩裏２３２が設けられている。
【００３８】
左細腹２４は、左前身頃２１と後身頃２３とを繋ぐ生地である。左細腹２４は、ジャケット１の着用時に胴体の左脇下を覆う。
【００３９】
右細腹２５は、右前身頃２２と後身頃２３とを繋ぐ生地である。右細腹２５は、ジャケット１の着用時に胴体の右脇下を覆う。
【００４０】
上襟（カラー）２６は、ジャケット本体２の首回りに設けられる生地である。上襟２６は、左前身頃２１の折り返し部分である下襟（ラペル）２１１、および右前身頃２２の折り返し部分である下襟（ラペル）２２１に繋がっている。
【００４１】
左袖２７は、左前身頃２１、後身頃２３および左細腹２４によって形成されアームホール（袖ぐり）に設けられる生地である。左袖２７は、円筒状に形成されており、ジャケット１の着用時に左腕を覆う。
【００４２】
右袖２８は、右前身頃２２、後身頃２３および右細腹２５によって形成されるアームホール（袖ぐり）に設けられる生地である。右袖２８は、円筒状に形成されており、ジャケット１の着用時に右腕を覆う。
【００４３】
（引掛ベルト３）
引掛ベルト３は、ジャケット本体２の裏側に設けられ、ジャケット本体２を鞄などに引掛ける引掛部材である。引掛ベルト３は、ベルト部（紐帯部）４、およびバックル（留具）５を含んでいる。
【００４４】
ベルト部４は、ジャケット本体２の裏側に架け渡された紐状または帯状の紐帯部材である。ベルト部４の素材は、可撓性を有するものであれば特に限定されない。ベルト部４の素材として、例えば、レーヨン、ナイロン、アクリル、ポリエステルなどの化学繊維、または、ウール、綿などの天然繊維を好適に用いることができる。
【００４５】
バックル５は、ベルト部４に設けられた留具である。本実施形態では、バックル５は、ベルト部４の長手方向の略中間位置に設けられており、バックル５においてベルト部４が開放可能になっている。
【００４６】
バックル５の素材は特に限定されないが、プラスチックなどの樹脂を好適に用いることができる。樹脂は、金属などに比べて軽量であり、また、空港などの金属探知機に検出されない。このため、バックル５は樹脂製であることが好ましい。
【００４７】
本実施形態では、引掛ベルト３は、ジャケット本体２の着丈の略中間位置を通り、かつ背筋に沿って伸びる背縫い２３１に対して略直交するように、ジャケット本体２に設けられている。
【００４８】
具体的には、ベルト部４の両端のうちの一端が、後身頃２３と左細腹２４との接合部である第１接合部Ｐ１に縫い付けられて固定（接続）されている。また、ベルト部４の両端のうちの他端が、後身頃２３と右細腹２５との接合部である第２接合部Ｐ２に縫い付けられて固定（接続）されている。これにより、引掛ベルト３は、ジャケット本体２の身幅方向へ延伸し、後身頃２３を横断して、ジャケット本体２に設けられている。
【００４９】
ジャケット１を着用した際、ジャケット本体２の後身頃２３の裏側は、外部から視認される可能性が低い部分である。また、ジャケット本体２の後身頃２３の裏側は、引掛ベルト３をジャケット本体２に設けた場合に、着用者の動作の妨げになりにくい部分でもある。
【００５０】
このため、引掛ベルト３をジャケット本体２の後身頃２３を横断するように設けることにより、ジャケット１の外観および着心地を損なうことなく、引掛ベルト３をジャケット本体２に好適に設けることができる。また、ベルト部４の長さを十分に確保することが可能となるため、引掛ベルト３を鞄などの対象物に取り付けやすくすることができる。
【００５１】
さらに、ベルト部４の一端をジャケット本体２の第１接合部Ｐ１に固定し、かつ、ベルト部４の他端をジャケット本体２の第２接合部Ｐ２に固定することにより、ジャケット本体２に対する引掛ベルト３の取付強度（縫着強度）を高めることができる。
【００５２】
ただし、ジャケット本体２に対する引掛ベルト３の取付位置および取付方法は、特に限定されない。例えば、引掛ベルト３は、ジャケット本体２の後身頃２３以外の部分に設けられていてもよい。
【００５３】
また、引掛ベルト３は、スナップボタンやタックボタンなどによって、ジャケット本体２の裏側に着脱可能に取り付けられた構成であってもよい。これにより、ジャケット本体２に引掛ベルト３を取り付けたり、または、ジャケット本体２から引掛ベルト３を取り外したりすることが可能となる。したがって、ジャケット１の使用態様などに応じて、ジャケット本体２への引掛ベルト３の着脱を自由に選択することができる。
【００５４】
〔引掛ベルト３の詳細〕
次に、図３を参照して、引掛ベルト３の詳細について説明する。
【００５５】
図３は、図２に示される引掛ベルト３を示す模式図である。図３に示すように、本実施形態に係る引掛ベルト３は、ベルト部４が、バックル５において開放可能に接続された構成である。
【００５６】
（ベルト部４）
本実施形態では、ベルト部４は帯状であり、第１ベルト部４１、および第２ベルト部４２を含んでいる。第１ベルト部４１および第２ベルト部４２は、バックル５によって接続されている。
【００５７】
第１ベルト部４１は、バックル５のプラグ部５１が取り付けられた自由端と、ジャケット本体２に固定された固定端（ベルト部４の一端）とを含んでいる。第１ベルト部４１の固定端は、ジャケット本体２の第１接合部Ｐ１（図２参照）に固定されている。
【００５８】
第２ベルト部４２は、バックル５のソケット部５２が取り付けられた自由端と、ジャケット本体２に固定された固定端（ベルト部４の他端）とを含んでいる。第２ベルト部４２の固定端は、ジャケット本体２の第２接合部Ｐ２（図２参照）に固定されている。
【００５９】
（バックル５）
本実施形態では、バックル５は樹脂製であり、プラグ部５１、およびソケット部５２を含んでいる。バックル５は、第１ベルト部４１の自由端と第２ベルト部４２の自由端とを開放可能に接続している。
【００６０】
プラグ部５１は、第１ベルト部４１の自由端に設けられた、バックル５の雄部材である。プラグ部５１は、ソケット部５２の係止穴５２１に挿入可能な係止ピン５１１を含んでいる。
【００６１】
ソケット部５２は、第２ベルト部４２の自由端に設けられた、バックル５の雌部材である。ソケット部５２は、プラグ部５１の係止ピン５１１を挿入可能な係止穴５２１を含んでいる。
【００６２】
バックル５では、プラグ部５１の係止ピン５１１をソケット部５２の係止穴５２１に差し込むことにより、プラグ部５１とソケット部５２とが係止される。これにより、第１ベルト部４１と第２ベルト部４２とを、バックル５によって接続することができる。
【００６３】
また、バックル５では、プラグ部５１の係止ピン５１１をソケット部５２の係止穴５２１から抜き出すことにより、プラグ部５１とソケット部５２とが分離される。これにより、第１ベルト部４１と第２ベルト部４２とを、バックル５において開放することができる。
【００６４】
なお、本実施形態では、バックル５は、係止ピン５１１を係止穴５２１に差し込む構成であるが、バックル５は、この構成に限定されない。バックル５は、ベルト部４を開放可能に留めるものであればよく、例えば、他の種類の樹脂製バックル、ホック、または面ファスナーなどを用いてもよい。または、バックル５は、ベルト部４の長さを調整可能な長さ調整機能を有していてもよい。
【００６５】
また、本実施形態では、ベルト部４として、第１ベルト部４１、および第２ベルト部４２を含む構成であるが、引掛ベルト３は、この構成に限定されない。引掛ベルト３は、ジャケット本体２に架け渡されたベルト部４が開放可能な構成であればよく、例えば、ジャケット本体２の第２接合部Ｐ２にバックル５のソケット部５２を直接固定することにより、第２ベルト部４２を省略した構成であってもよい。この場合、ジャケット本体２の後身頃２３の幅（すなわち、ジャケット本体２の第１接合部Ｐ１と第２接合部Ｐ２との間隔）に相当する長さを有する第１ベルト部４１を用いればよい。
【００６６】
〔ジャケット１の使用例〕
次に、図４および５を参照して、ジャケット１の具体的な使用例について説明する。
【００６７】
図４は、ジャケット１を鞄などの対象物に引掛ける際の形態を示す斜視図である。図４に示すように、非着用時のジャケット１を鞄などの対象物に引掛ける場合、ジャケット本体２は、引掛ベルト３によって吊り下げられた状態で保持される。
【００６８】
ジャケット本体２を引掛ベルト３によって吊り下げた状態にした場合、引掛ベルト３、および後身頃２３で囲まれたループが形成される。このため、ジャケット本体２の裾側の部分（すなわち、引掛ベルト３に対して裾側に位置するジャケット本体２の生地）およびジャケット本体２のショルダー側の部分（すなわち、引掛ベルト３に対してショルダー側に位置するジャケット本体２の生地）を折り返して、上述したループにそれぞれ通すことにより、ジャケット本体２を小さく折り畳んだ状態で、ジャケット本体２を引掛ベルト３によって吊り下げることが可能となる。
【００６９】
図５は、図４に示されるジャケット１を、鞄６に引掛けた状態の一例を示す斜視図である。図５に示すように、ジャケット１は、鞄（対象物）６に引掛けることができる。
【００７０】
具体的には、バックル５を外して開放したベルト部４を鞄６の肩紐６１に通した後、バックル５を留めることにより、引掛ベルト３を鞄６に簡単に取り付けることができる。
【００７１】
これにより、引掛ベルト３によって、ジャケット本体２が鞄６からズレ落ちることを防止しつつ、非着用時のジャケット本体２を鞄６に引掛けた状態で持ち運ぶことができる。
【００７２】
〔ジャケット１の効果〕
以上のように、本実施形態に係るジャケット１は、前開きのジャケット本体２と、ジャケット本体２の裏側に設けられ、ジャケット本体２を鞄６などの対象物に引掛ける引掛ベルト３とを備える。
【００７３】
引掛ベルト３は、ジャケット本体２に架け渡された紐状または帯状のベルト部４と、ベルト部４に設けられたバックル５とを含み、引掛ベルト３は、バックル５において開放可能になっている。
【００７４】
ジャケット１では、引掛ベルト３は、ジャケット本体２の裏側に架け渡された帯状のベルト部４が、バックル５において開放可能になっている。このため、バックル５を外して開放したベルト部４を鞄（対象物）６の肩紐などに通した後、バックル５を留めることにより、引掛ベルト３を対象物に簡単に取り付けることができる。
【００７５】
これにより、引掛ベルト３によって、ジャケット本体２が対象物からズレ落ちることを防止しつつ、非着用時のジャケット本体２を鞄６に引掛けることが可能となる。
【００７６】
よって、ジャケット１によれば、従来のように携帯ハンガーを別途携行することなく、非着用時のジャケット本体２を対象物に引掛けた状態で持ち運ぶことが可能となる。
【００７７】
したがって、本実施形態によれば、非着用時の持ち運び性に優れたジャケット１を実現することができる。
【００７８】
〔実施形態２〕
本発明の他の実施の一形態について、図６に基づいて説明すれば、以下のとおりである。なお、説明の便宜上、前記実施形態にて説明した部材と同じ機能を有する部材については、同じ符号を付記し、その説明を省略する。
【００７９】
本実施形態では、ジャケット本体２の後身頃２３以外の部分に引掛ベルト３を設けた構成の一例について説明する。
【００８０】
〔ジャケット１１の構成〕
図６は、本実施形態に係るジャケット１１の裏側を示す要部展開図である。本実施形態に係るジャケット（上衣）１１は、ジャケット本体２に対する引掛ベルト３の取付位置を除いて、実施形態１に係るジャケット１と概ね同一である。このため、以下では、実施形態１から変更した点についてのみ説明する。
【００８１】
本実施形態では、ジャケット本体２の右前身頃２２および右細腹２５にわたって引掛ベルト３が設けられている。
【００８２】
具体的には、ベルト部４の両端のうちの一端が、後身頃２３と右細腹２５との接合部である第２接合部Ｐ２に縫い付けられて固定（接続）されている。また、ベルト部４の両端のうちの他端が、右前身頃２２の折り返し部分である見返し２２２に縫い付けられて固定（接続）されている。
【００８３】
これにより、引掛ベルト３は、ジャケット本体２の身幅方向へ延伸し、右細腹２５を横断して右前身頃２２の見返し２２２に達するように、ジャケット本体２に設けられている。
【００８４】
ジャケット１２を着用した際、ジャケット本体２の右前身頃２２および右細腹２５の裏側は、引掛ベルト３をジャケット本体２に設けた場合に、着用者の動作の妨げになりにくい部分である。
【００８５】
このため、引掛ベルト３をジャケット本体２の右前身頃２２および右細腹２５にわたって設けることにより、ジャケット１２の着心地を損なうことなく、引掛ベルト３をジャケット本体２に好適に設けることができる。
【００８６】
なお、本実施形態では、ジャケット本体２の右前身頃２２および右細腹２５にわたって引掛ベルト３を設けているが、ジャケット本体２の左前身頃２１および左細腹２４の裏側にわたって引掛ベルト３を設けてもよい。
【００８７】
〔ジャケット１１の効果〕
以上のように、本実施形態に係るジャケット１１では、引掛ベルト３は、ジャケット本体２の右前身頃２２および右細腹２５の裏側にわたって設けられている。
【００８８】
ジャケット本体２の裏側において引掛ベルト３を設ける部分は任意であり、ジャケット１１のように、ジャケット本体２の右前身頃２２および右細腹２５にわたって引掛ベルト３を設けた場合であっても、引掛ベルト３によって、ジャケット本体２が対象物からズレ落ちることを防止しつつ、非着用時のジャケット本体２を対象物に好適に引掛けることが可能となる。
【００８９】
よって、ジャケット１１によれば、従来のように携帯ハンガーを別途携行することなく、非着用時のジャケット本体２を鞄６などの対象物に引掛けた状態で持ち運ぶことが可能となる。
【００９０】
したがって、本実施形態によれば、非着用時の持ち運び性に優れたジャケット１１を実現することができる。
【００９１】
〔実施形態３〕
本発明の他の実施の一形態について、図７に基づいて説明すれば、以下のとおりである。なお、説明の便宜上、前記実施形態にて説明した部材と同じ機能を有する部材については、同じ符号を付記し、その説明を省略する。
【００９２】
本実施形態では、引掛ベルト３の他の構成の一例について説明する。
【００９３】
〔ジャケット１２の構成〕
図７は、本実施形態に係るジャケット１２の裏側を示す要部展開図である。本実施形態に係るジャケット（上衣）１２は、引掛ベルト３１の構成を除いて、実施形態２に係るジャケット１１と概ね同一である。このため、以下では、実施形態２から変更した点についてのみ説明する。
【００９４】
（引掛ベルト３１）
本実施形態では、引掛ベルト（引掛部材）３１は、１つのベルト部４の両端に、バックル５がそれぞれ設けられた構成である。引掛ベルト３１は、バックル５として、第１バックル（第１留具）５ａ、および第２バックル（第２留具）５ｂを含んでいる。
【００９５】
（第１バックル５ａ）
第１バックル５ａは、ベルト部４の両端のうちの一端に設けられた留具である。具体的には、第１バックル５ａは、第１バックル５ａのプラグ部５１（図３参照）が、ベルト部４の一端に固定されている。また、第１バックル５ａは、第１バックル５ａのソケット部５２（図３参照）が、ジャケット本体２の後身頃２３と右細腹２５との接合部である第２接合部Ｐ２に縫い付けられて固定されている。
【００９６】
（第２バックル５ｂ）
第２バックル５ｂは、ベルト部４の両端のうちの他端に設けられた留具である。具体的には、第２バックル５ｂは、第２バックル５ｂのプラグ部５１が、ベルト部４の他端に固定されている。また、第２バックル５ｂは、第２バックル５ｂのソケット部５２が、ジャケット本体２の右前身頃２２の折り返し部分である見返し２２２に縫い付けられて固定されている。
【００９７】
このように、ジャケット１２では、第１バックル５ａおよび第２バックル５ｂを介して、ベルト部４がジャケット本体２に取り付けられている。このため、第１バックル５ａおよび第２バックル５ｂのいずれか一方を外して開放したベルト部４を鞄（対象物）６の肩紐などに通すことにより、引掛ベルト３１を対象物に簡単に取り付けることができる。
【００９８】
また、第１バックル５ａおよび第２バックル５ｂの両方を外すことにより、ジャケット本体２からベルト部４を取り外すことができる。このため、ジャケット本体２に対するベルト部４の着脱を自由に選択することができる。
【００９９】
なお、本実施形態では、ジャケット本体２の右前身頃２２および右細腹２５にわたって引掛ベルト３１を設けているが、ジャケット本体２の左前身頃２１および左細腹２４の裏側にわたって引掛ベルト３１を設けてもよい。
【０１００】
〔ジャケット１２の効果〕
以上のように、本実施形態に係るジャケット１２では、バックル５は、ベルト部４の一端に設けられた第１バックル５ａ、およびベルト部４の他端に設けられた第２バックル５ｂを含み、第１バックル５ａおよび第２バックル５ｂのそれぞれが、ジャケット本体２に接続されている。
【０１０１】
ジャケット１２では、第１バックル５ａおよび第２バックル５ｂを介して、ベルト部４がジャケット本体２に取り付けられているため、ジャケット本体２に対するベルト部４の着脱が可能となる。これにより、ジャケット本体２にベルト部４取り付けたり、または、ジャケット本体２からベルト部４取り外したりすることができる。
【０１０２】
したがって、本実施形態によれば、ジャケット１２の使用態様などに応じて、ジャケット本体２へのベルト部４の着脱を自由に選択することが可能なジャケット１２を実現することができる。
【０１０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０４】
１，１１，１２  ジャケット（上衣）
２  ジャケット本体（上衣本体）
３  引掛ベルト（引掛部材）
４  ベルト部（紐帯部）
５  バックル（留具）
５ａ  第１バックル（留具）
５ｂ  第２バックル（留具）
６  鞄（対象物）
２１  左前身頃
２２  右前身頃
２３  後身頃
２４  左細腹
２５  右細腹
４１  第１ベルト部（紐帯部）
４２  第２ベルト部（紐帯部）
５１  プラグ部（留具）
５２  ソケット部（留具）
Ｐ１  第１接合部
Ｐ２  第２接合部
【図１】
0006560041.tif 000002
【図２】
0006560041.tif 000003
【図３】
0006560041.tif 000004
【図４】
0006560041.tif 000005
【図５】
0006560041.tif 000006
【図６】
0006560041.tif 000007
【図７】
0006560041.tif 000008